【手続補正書】
【提出日】平成18年5月31日(2006.5.31)
【手続補正１】
【補正対象書類名】特許請求の範囲
【補正対象項目名】全文
【補正方法】変更
【補正の内容】
【特許請求の範囲】
【請求項１】
医療施設に設置された複数の端末と、データセンターに設置された複数のサーバとを、ネットワークを介して接続することにより構成されるシステムにおいて用いられる医療情報提供方法であって、
前記医療施設に設置されたクライアント端末において、前記医療施設に設置された他の端末から、少なくとも患者に関する情報及び検査に関する情報を収集するステップ（ａ）と、
前記医療施設において診断目的の検査によって得られたデータと、ステップ（ａ）において収集された情報とを、検査結果データとして前記クライアント端末から前記データセンターに設置された第１のサーバに送信するステップ（ｂ）と、
前記第１のサーバによって受信された検査結果データを第１の記録媒体に格納するステップ（ｃ）と、
前記データセンターに設置された第２のサーバの制御の下で、前記第１の記録媒体に格納されている検査結果データから所定の種類の情報を抽出して第２の記録媒体に格納するステップ（ｄ）と、
所望の医療情報の提供を要求する情報要求信号を、前記クライアント端末から前記第２のサーバに送信するステップ（ｅ）と、
前記第２のサーバによって受信された情報要求信号に基づいて、前記第２の記録媒体に格納されている情報から関連する情報を検索するステップ（ｆ）と、
ステップ（ｆ）において検索された情報に対して統計処理を施すステップ（ｇ）と、
ステップ（ｇ）において統計処理を施された情報に基づいて医療情報を生成し、前記第２のサーバから直接又は間接的に前記クライアント端末に医療情報を提供するステップ（ｈ）と、
を具備する医療情報提供方法。
【請求項２】
ステップ（ａ）が、前記医療施設に設置されたクライアント端末において、前記医療施設に設置された他の端末から、患者属性情報、検査属性情報、診療情報、及び、会計情報を収集することを含む、請求項１記載の医療情報提供方法。
【請求項３】
ステップ（ｆ）が、前記第２のサーバによって受信された情報要求信号に基づいて、前記第２の記録媒体及び顧客である医療施設に関する情報を格納する第３の記録媒体に格納されている情報から関連する情報を検索することを含む、請求項１又は２記載の医療情報提供方法。
【請求項４】
ステップ（ｈ）が、ステップ（ｇ）において統計処理を施された情報に基づいて医療情報を生成し、前記第２のサーバから前記データセンターに設置された第３のサーバに医療情報を送信し、前記第３のサーバにおいて、受信した医療情報を加工して前記クライアント端末に提供することを含む、請求項１〜３のいずれか１項記載の医療情報提供方法。
【請求項５】
医療施設に設置され、データセンターに設置された複数のサーバにネットワークを介して接続されるクライアント端末であって、
医療施設に設置された他の端末から、少なくとも患者に関する情報及び検査に関する情報を収集する情報収集手段と、
前記医療施設において診断目的の検査によって得られたデータを、前記情報収集手段によって収集された情報と共に、検査結果データとして前記データセンターに設置された第１のサーバに送信する送信制御手段と、
オペレータの操作に従って、所望の医療情報の提供を要求する情報要求信号を、前記データセンターに設置された第２のサーバに送信する情報要求手段と、
情報要求信号に応答する前記第２のサーバによって検査結果データに基づいて生成された医療情報を表示するための表示手段と、
を具備するクライアント端末。
【請求項６】
データセンターにデータベースサーバと共に設置され、医療施設に設置されたクライアント端末とネットワークを介して接続される統計処理サーバであって、
前記医療施設において診断目的の検査によって得られたデータを、少なくとも患者に関する情報及び検査に関する情報と共に、検査結果データとして受信する前記データベースサーバが第１の記録媒体に格納している検査結果データから、所定の種類の情報を抽出して第２の記録媒体に格納する情報抽出手段と、
クライアント端末から送信された所望の医療情報の提供を要求する情報要求信号に基づいて、前記第２の記録媒体に格納されている情報から関連する情報を検索する検索制御手段と、
前記検索制御手段によって検索された情報に対して統計処理を施す統計処理手段と、
前記統計処理手段によって統計処理を施された情報に基づいて医療情報を生成して、直接又は間接的に前記クライアント端末に医療情報を提供する送信制御手段と、
を具備する統計処理サーバ。
【手続補正２】
【補正対象書類名】明細書
【補正対象項目名】０００８
【補正方法】変更
【補正の内容】
【０００８】
上記課題を解決するため、本発明に係る医療情報提供方法は、医療施設に設置された複数の端末と、データセンターに設置された複数のサーバとを、ネットワークを介して接続することにより構成されるシステムにおいて用いられる医療情報提供方法であって、医療施設に設置されたクライアント端末において、医療施設に設置された他の端末から、少なくとも患者に関する情報及び検査に関する情報を収集するステップ（ａ）と、医療施設において診断目的の検査によって得られたデータと、ステップ（ａ）において収集された情報とを、検査結果データとしてクライアント端末からデータセンターに設置された第１のサーバに送信するステップ（ｂ）と、第１のサーバによって受信された検査結果データを第１の記録媒体に格納するステップ（ｃ）と、データセンターに設置された第２のサーバの制御の下で、第１の記録媒体に格納されている検査結果データから所定の種類の情報を抽出して第２の記録媒体に格納するステップ（ｄ）と、所望の医療情報の提供を要求する情報要求信号を、クライアント端末から第２のサーバに送信するステップ（ｅ）と、第２のサーバによって受信された情報要求信号に基づいて、第２の記録媒体に格納されている情報から関連する情報を検索するステップ（ｆ）と、ステップ（ｆ）において検索された情報に対して統計処理を施すステップ（ｇ）と、ステップ（ｇ）において統計処理を施された情報に基づいて医療情報を生成し、第２のサーバから直接又は間接的にクライアント端末に医療情報を提供するステップ（ｈ）とを具備する。
【手続補正３】
【補正対象書類名】明細書
【補正対象項目名】０００９
【補正方法】変更
【補正の内容】
【０００９】
また、本発明に係るクライアント端末は、医療施設に設置され、データセンターに設置された複数のサーバにネットワークを介して接続されるクライアント端末であって、医療施設に設置された他の端末から、少なくとも患者に関する情報及び検査に関する情報を収集する情報収集手段と、医療施設において診断目的の検査によって得られたデータを、情報収集手段によって収集された情報と共に、検査結果データとしてデータセンターに設置された第１のサーバに送信する送信制御手段と、オペレータの操作に従って、所望の医療情報の提供を要求する情報要求信号を、データセンターに設置された第２のサーバに送信する情報要求手段と、情報要求信号に応答する第２のサーバによって検査結果データに基づいて生成された医療情報を表示するための表示手段とを具備する。
【手続補正４】
【補正対象書類名】明細書
【補正対象項目名】００１０
【補正方法】変更
【補正の内容】
【００１０】
さらに、本発明に係る統計処理サーバは、データセンターにデータベースサーバと共に設置され、医療施設に設置されたクライアント端末とネットワークを介して接続される統計処理サーバであって、医療施設において診断目的の検査によって得られたデータを、少なくとも患者に関する情報及び検査に関する情報と共に、検査結果データとして受信するデータベースサーバが第１の記録媒体に格納している検査結果データから、所定の種類の情報を抽出して第２の記録媒体に格納する情報抽出手段と、クライアント端末から送信された所望の医療情報の提供を要求する情報要求信号に基づいて、第２の記録媒体に格納されている情報から関連する情報を検索する検索制御手段と、検索制御手段によって検索された情報に対して統計処理を施す統計処理手段と、統計処理手段によって統計処理を施された情報に基づいて医療情報を生成して、直接又は間接的にクライアント端末に医療情報を提供する送信制御手段とを具備する。
【手続補正５】
【補正対象書類名】明細書
【補正対象項目名】００１５
【補正方法】変更
【補正の内容】
【００１５】
また、データセンター２０には、検査結果データベース（ＤＢ）２３ａに蓄積された検査結果データから患者属性情報、検査属性情報、診療情報及び会計情報を抽出し、それらの情報等に基づいて統計処理を行う統計処理サーバ２４と、患者属性情報を蓄積する患者属性情報データベース（ＤＢ）２４ａが記録されているハードディスク等の記録媒体と、検査属性情報を蓄積する検査属性情報データベース（ＤＢ）２４ｂが記録されているハードディスク等の記録媒体と、診療情報を蓄積する診療情報データベース（ＤＢ）２４ｃが記録されているハードディスク等の記録媒体と、会計情報を蓄積する会計情報データベース（ＤＢ）２４ｄが記録されているハードディスク等の記録媒体とが設置されている。
【手続補正６】
【補正対象書類名】明細書
【補正対象項目名】００２３
【補正方法】変更
【補正の内容】
【００２３】
本実施形態においては、データセンター２０の内部に認証サーバ２１が設置されているが、認証サーバ２１は、データセンター２０の外部に設置されるようにしても良い。また、データベースサーバ２３が、受信した検査結果データを検査結果データベース２３ａの記録媒体に蓄積する。さらに、統計処理サーバ２４が、検査結果データベース２３ａに蓄積された検査結果データから患者属性情報、検査属性情報、診療情報、及び、会計情報を抽出し、それらの情報をデータベース２４ａ〜２４ｄの記録媒体にそれぞれ蓄積する。
【手続補正７】
【補正対象書類名】明細書
【補正対象項目名】００２４
【補正方法】変更
【補正の内容】
【００２４】
本実施形態においては、統計処理サーバ２４が、検査結果データベース２３ａに蓄積された情報に統計処理を施して医療情報を生成し、公開サーバ２６が、統計処理サーバ２４によって生成された医療情報をクライアント端末１２に公開することにより、この医療情報を医療施設における医療業務の効率化に利用できるようにしている。
【手続補正８】
【補正対象書類名】明細書
【補正対象項目名】００５２
【補正方法】変更
【補正の内容】
【００５２】
ステップＳ９において、クライアント端末１２が、画像読取装置５０から受信された画像データ及びバーコード情報をメモリ１２２に格納する。ここで、クライアント端末１２は、画像読取装置５０から受信したバーコード情報とバーコードリーダ６２によって生成されたバーコード情報とを一致させることにより、画像データと患者属性情報及び検査属性情報とを対応させ、患者属性情報及び検査属性情報を画像付帯情報としてメモリ１２２に格納する。
【手続補正９】
【補正対象書類名】明細書
【補正対象項目名】００５３
【補正方法】変更
【補正の内容】
【００５３】
ステップＳ１０において、画像処理部１２１ｂが、メモリ１２２に格納されている画像データに画像処理を施す。ステップＳ１１において、画像処理部１２１ｂが、医用画像を表す画像データ及び医用画像に付帯する画像付帯情報をハードディスク１２３等の格納手段に格納する。
【手続補正１０】
【補正対象書類名】明細書
【補正対象項目名】００５４
【補正方法】削除
【補正の内容】
【手続補正１１】
【補正対象書類名】明細書
【補正対象項目名】００５５
【補正方法】削除
【補正の内容】
【手続補正１２】
【補正対象書類名】明細書
【補正対象項目名】００５６
【補正方法】変更
【補正の内容】
【００５６】
図６のステップＳ１２において、画像処理が施された画像データに基づいて、放射線画像がクライアント端末１２の表示部６３に表示される。ステップＳ１３において、医師が、表示部６３に表示される放射線画像を読影しながら診療を行った診療結果に基づいて、オペレータが、レセプト・コンピュータ１３を用いて、傷病名、投薬の種類及び量等の診療情報や、診察費用、投薬費用等の会計情報を入力する。ステップＳ１４において、レセプト・コンピュータ１３が、入力された診療情報及び会計情報を格納する。
【手続補正１３】
【補正対象書類名】明細書
【補正対象項目名】００５７
【補正方法】変更
【補正の内容】
【００５７】
ステップＳ１５において、レセプト・コンピュータ１３が、患者属性情報、検査属性情報、診療情報、及び、会計情報に基づいてレセプトを作成して、レセプトを表すレセプトデータを記録する。
【手続補正１４】
【補正対象書類名】明細書
【補正対象項目名】００５８
【補正方法】変更
【補正の内容】
【００５８】
ステップＳ１６において、オペレータが、入力部６１を用いて検査結果データ保管の指示を入力する。ステップＳ１７において、情報収集部１２１ｄが、検査結果データ保管の指示に応答して、レセプト・コンピュータ１３に記録されているレセプトデータから患者属性情報、検査属性情報、診療情報、及び、会計情報を収集する。
【手続補正１５】
【補正対象書類名】明細書
【補正対象項目名】００５９
【補正方法】変更
【補正の内容】
【００５９】
ステップＳ１８において、送信制御部１２１ｅが、データセンター２０の認証サーバ２１に対して、アクセス権を照会する。認証サーバ２１によってアクセス権が認められると、ステップＳ１９において、送信制御部１２１ｅが、検査結果データを、診療所１０を特定するための医療施設整理番号等の情報と共に、データセンター２０のデータベースサーバ２３に送信する。検査結果データは、放射線画像データ等の診断目的の検査によって得られたデータと、情報収集部１２１ｄによって収集された患者属性情報、検査属性情報、診療情報、及び、会計情報とを含んでいる。
【手続補正１６】
【補正対象書類名】明細書
【補正対象項目名】００６０
【補正方法】削除
【補正の内容】
【手続補正１７】
【補正対象書類名】明細書
【補正対象項目名】００６１
【補正方法】変更
【補正の内容】
【００６１】
次に、ステップＳ２０において、データベースサーバ２３が、受信した検査結果データを、医療施設整理番号等の送信元を特定するための情報と対応させて検査結果データベース２３ａに蓄積する。これにより、検査結果データが、データセンター２０に保管される。
【手続補正１８】
【補正対象書類名】明細書
【補正対象項目名】００６２
【補正方法】変更
【補正の内容】
【００６２】
ステップＳ２１において、統計処理サーバ２４の情報抽出部７３ａは、検査結果データベース２３ａに記録されている検査結果データから、患者属性情報、検査属性情報、診療情報、及び、会計情報を抽出し、それらの情報を医療施設整理番号等の送信元を特定するための情報と対応させてデータベース２４ａ〜２４ｄにそれぞれ蓄積する。
【手続補正１９】
【補正対象書類名】明細書
【補正対象項目名】００６５
【補正方法】変更
【補正の内容】
【００６５】
認証サーバ２１によってアクセス権が認められると、ステップＳ３３において、情報要求部１２１ｆが、医療情報の提供を求めて、情報要求信号をクライアント端末１２からデータセンター２０の統計処理サーバ２４に送信する。情報要求信号には、検索キーワードと共に、医療施設整理番号等の送信元を特定するための情報が含まれている。
【手続補正２０】
【補正対象書類名】明細書
【補正対象項目名】００６６
【補正方法】変更
【補正の内容】
【００６６】
なお、ステップＳ３１〜Ｓ３３の動作は、図６に示すステップＳ１６〜Ｓ１９の動作とは無関係に行われる。ここで、ステップＳ３１〜Ｓ３３の動作を、ステップＳ１６〜Ｓ１９の動作に続いて行う場合には、既にアクセス権が認められているので、ステップＳ３２を省略しても良い。
【手続補正２１】
【補正対象書類名】明細書
【補正対象項目名】００６７
【補正方法】変更
【補正の内容】
【００６７】
次に、ステップＳ３４において、統計処理サーバ２４が、受信した情報要求信号に含まれている検索キーワードと、医療施設整理番号等の送信元を特定するための情報とに基づいて、データベース２４ａ〜２４ｄ、及び、データベース２５ａ〜２５ｂから、所望の情報を検索する。さらに、統計処理サーバ２４は、医療施設情報の所在地を検索し、所在地に基づいて、地域情報データベース２５ｃから、診療所の近隣に関する情報を検索しても良い。
【手続補正２２】
【補正対象書類名】明細書
【補正対象項目名】００６８
【補正方法】変更
【補正の内容】
【００６８】
ステップＳ３５において、統計処理サーバ２４が、検索した情報に統計処理を施して、汎用的なデータ形式であるＸＭＬ（extensible markup language：拡張可能なマーク付け言語）形式の各種の医療情報を生成する。例えば、統計処理サーバ２４は、ステップＳ３４において、患者属性情報に含まれている年齢及び患者住所、検査属性情報に含まれている検査日付、及び、地域情報に含まれている近隣教育機関の所在地及び数を検索し、ステップＳ３５において、これらの検索結果に基づいて、教育機関における患者の増加を算出して患者の地域分布を表す医療情報を生成する。
【手続補正２３】
【補正対象書類名】明細書
【補正対象項目名】００６９
【補正方法】変更
【補正の内容】
【００６９】
あるいは、統計処理サーバ２４は、ステップＳ３４において、診療情報に含まれている投薬の種類、及び、会計情報に含まれている投薬費用及び検査費用を検索し、ステップＳ３５において、これらの検索結果に基づいて、多用している薬や検査の種類、及び、そのコストを算出してそれらの一覧を表す医療情報を生成する。
【手続補正２４】
【補正対象書類名】明細書
【補正対象項目名】００７０
【補正方法】変更
【補正の内容】
【００７０】
あるいは、統計処理サーバ２４は、ステップＳ３４において、医療施設情報に含まれている所在地、医師情報に含まれている医師名、出身大学及び病院勤務歴、及び、地域情報に含まれている専門別医療機関の機関名を検索し、ステップＳ３５において、これらの検索結果に基づいて、同じ経歴の医師又は医療施設に関する情報の一覧を表す医療情報を生成する。さらに、統計処理サーバ２４は、ステップＳ３５において、専門別医療機関の機関名に基づいて、それらの情報を専門別に分類した医療情報を生成しても良いし、医療施設情報に含まれている所在地、及び、地域情報に含まれている専門別医療機関の所在地に基づいて算出した自院からの距離を表す情報を含んだ医療情報を生成しても良い。
【手続補正２５】
【補正対象書類名】明細書
【補正対象項目名】００７１
【補正方法】変更
【補正の内容】
【００７１】
あるいは、統計処理サーバ２４は、ステップＳ３４において、患者属性情報に含まれている年齢、及び、検査属性情報に含まれている検査日付、検査曜日、検査部位、検査機器、検査方法を検索し、ステップＳ３５において、これらの検索結果に基づいて算出した各曜日における患者の検査受診分布を表す医療情報を生成する。
【手続補正２６】
【補正対象書類名】明細書
【補正対象項目名】００７６
【補正方法】変更
【補正の内容】
【００７６】
このように、医療情報として、教育機関における患者の増加の地域分布を表示することにより、今後の分布予想を類推することができるし、多用している薬や検査の種類、及び、そのコストの一覧を表示することにより、同じ効用で低コストの薬を見付けるための手助けとなる。また、同じ経歴の医師、医療施設情報の一覧を表示することにより、患者を他院に紹介する際の手助けとなるし、各曜日における患者の検査受信分布を表示することにより、検査技師を雇用する際の最適な曜日や日付を決定するための手助けとなる。
【手続補正２７】
【補正対象書類名】図面
【補正対象項目名】図１
【補正方法】変更
【補正の内容】
【図１】
2005275999.tif 000001
【手続補正２８】
【補正対象書類名】図面
【補正対象項目名】図２
【補正方法】変更
【補正の内容】
【図２】
2005275999.tif 000002
【手続補正２９】
【補正対象書類名】図面
【補正対象項目名】図５
【補正方法】変更
【補正の内容】
【図５】
2005275999.tif 000003
【手続補正３０】
【補正対象書類名】図面
【補正対象項目名】図６
【補正方法】変更
【補正の内容】
【図６】
2005275999.tif 000004
【手続補正３１】
【補正対象書類名】図面
【補正対象項目名】図７
【補正方法】変更
【補正の内容】
【図７】
2005275999.tif 000005